(57)【要約】【課題】  画像表示保持媒体ＥＰに対するユーザによる取捨選択的或いは試行錯誤的な作法を可能にして、用紙に印刷した文書を扱うと同様な感覚で文書データに係る処理を実行する。【解決手段】  画像表示保持媒体ＥＰは、文書画像を書き換え可能且つ無電源状態で表示保持する表示部２と、ユーザからの操作入力を受け付ける操作用パッシブセンサ５を有している。処理装置３０は、画像表示保持媒体ＥＰに対してユーザが入力した操作情報を取得すると、操作情報を指示保持部３８に一旦保持し、開始操作部３９から開始トリガーが入力されたとことで、判定部３４に指示保持部３８に保持されている操作情報に基づいて判定処理を開始させ、文書処理部３１や統計処理部３５にデータ処理を開始させる。【選択図】  図１
2007200096.tif 000002
【特許請求の範囲】
【請求項１】
文書画像を書き換え可能且つ無電源状態で表示保持する表示部を有する画像表示保持媒体と、当該画像表示保持媒体に対してユーザが操作した情報に応じて文書データの処理を行う処理装置とを備えた文書処理操作システムであって、
前記画像表示保持媒体は、ユーザからの操作入力を受け付ける操作子と、操作子に操作入力がなされた操作情報を処理装置へ提供する情報提供手段と、を有し、
前記処理装置は、画像表示保持媒体に表示保持されている文書のデータに対して操作情報に応じて予め設定された処理を行うデータ処理手段と、画像表示保持媒体から取得した操作情報を保持する保持手段と、当該保持された操作情報に応じた処理を前記データ処理手段に開始させる開始指示手段と、を有することを特徴とする文書処理操作システム。
【請求項２】
請求項１に記載の文書処理操作システムにおいて、
前記開始指示手段は、処理装置側で発生される前記データ処理手段に処理を開始させるトリガーを入力することを特徴とする文書処理操作システム。
【請求項３】
請求項１に記載の文書処理操作システムにおいて、
前記開始指示手段は、ユーザの操作に応じて前記データ処理手段に処理を開始させるトリガーを入力することを特徴とする文書処理操作システム。
【請求項４】
請求項１乃至３のいずれか１項に記載の文書処理操作システムにおいて、
前記処理装置は、操作情報に応じて前記画像表示保持媒体の表示部に表示するための画像処理方法が予め設定された対応テーブルを有し、
前記データ処理手段は、当該対応テーブルを参照して取得した操作情報に応じて表示部に表示する文書画像の生成処理を行うことを特徴とする文書処理操作システム。
【請求項５】
請求項１乃至３のいずれか１項に記載の文書処理操作システムにおいて、
前記処理装置は、操作情報に応じて前記画像表示保持媒体の表示部に表示している文書に対応するデータへの画像処理方法が予め設定された対応テーブルを有し、
前記データ処理手段は、当該対応テーブルを参照して取得した操作情報に応じて対応する文書データに対する処理を行うことを特徴とする文書処理操作システム。
【請求項６】
請求項１乃至３のいずれか１項に記載の文書処理操作システムにおいて、
前記処理装置は、操作情報に応じてユーザからの回答内容が予め設定された対応テーブルを有し、
前記データ処理手段は、当該対応テーブルを参照して取得した操作情報に応じて前記表示部に表示された文書に対するユーザの回答内容を統計処理することを特徴とする文書処理操作システム。
【請求項７】
請求項１乃至６のいずれか１項に記載の文書処理操作システムにおいて、
前記画像表示保持媒体は、ユーザによる操作を検知する機能と検知状態を無線読み取り可能に保持する機能とを有する受動的なセンサを複数有し、当該センサによりユーザからの操作入力を受け付ける複数の操作子と、いずれの操作子に操作入力がなされたかの操作情報を処理装置側が無線読み取り可能に提供する情報提供手段とを構成したことを特徴とする文書処理操作システム。
【請求項８】
請求項１乃至６のいずれか１項に記載の文書処理操作システムにおいて、
前記画像表示保持媒体は、ユーザによる操作を検知する機能と検知状態を無線読み取り可能に送信する機能とを有する受動的なセンサを複数有し、当該センサによりユーザからの操作入力を受け付ける複数の操作子と、いずれの操作子に操作入力がなされたかの操作情報を処理装置側からの読み取り信号に応答して無線読み取り可能に送信する情報提供手段とを構成したことを特徴とする文書処理操作システム。
【請求項９】
請求項１乃至７のいずれか１項に記載の文書処理操作システムにおいて、
前記画像表示保持媒体は、前記書込手段から入力された表示用画像データに基づいて表示部に画像を書き込む機能を有した自己書き込み型の電子ペーパであることを特徴とする文書処理操作システム。
【請求項１０】
請求項１乃至７のいずれか１項に記載の文書処理操作システムにおいて、
前記画像表示保持媒体は、前記書込手段から投影された表示用画像を表示部に転写する機能を有した光書き込み型の電子ペーパであることを特徴とする文書処理操作システム。
【請求項１１】
文書画像を書き換え可能且つ無電源状態で表示保持する表示部を有する画像表示保持媒体に対してユーザが操作した情報に応じて、文書データの処理を行う処理装置であって、
画像表示保持媒体から取得した操作情報を保持する保持手段と、画像表示保持媒体に表示保持されている文書のデータに対して当該画像表示保持媒体から取得した操作情報に応じて予め設定された処理を行うデータ処理手段と、当該保持された操作情報に応じた処理を前記データ処理手段に開始させる開始指示手段と、を有することを特徴とする処理装置。
【請求項１２】
文書画像を書き換え可能且つ無電源状態で表示保持する表示部を有する画像表示保持媒体に対してユーザが操作した情報に応じて、文書データの処理を行う処理装置をコンピュータにより構成するプログラムであって、
処理装置のコンピュータに、画像表示保持媒体から取得した操作情報を保持する保持手段と、画像表示保持媒体に表示保持されている文書のデータに対して当該画像表示保持媒体から取得した操作情報に応じて予め設定された処理を行うデータ処理手段と、当該保持された操作情報に応じた処理を前記データ処理手段に開始させる開始指示手段と、を構成することを特徴とする処理装置プログラム。
【請求項１３】
文書画像を書き換え可能且つ無電源状態で表示保持する表示部を有する画像表示保持媒体と、当該画像表示保持媒体に対してユーザが操作した情報に応じて文書データの処理を行う処理装置とにより実行する文書処理操作方法であって、
前記処理装置が、前記画像表示保持媒体に対してユーザが操作入力した操作情報を当該画像表示保持媒体から取得して保持し、
前記処理装置が、内部発生又は外部入力されたトリガー信号に応じて当該保持された操作情報に応じた処理を開始することを特徴とする文書処理操作方法。
【発明の詳細な説明】
【技術分野】
【０００１】
本発明は、表示部に文書画像を無電源状態で表示保持する画像表示保持媒体を用いた技術に関し、当該画像表示保持媒体に対して取捨選択的或いは試行錯誤的に入力されたユーザ操作に応じて、文書データに係る処理を行う文書処理操作技術に関する。
【背景技術】
【０００２】
コンピュータを利用したデータ処理により、文書の作成、編集、閲覧等がなされている。
このような電子データ文書の閲覧方法は、一般的に、コンピュータのディスプレイ画面に文書の画像を表示する、或いは、プリンタにより文書の画像を紙媒体である用紙に印刷することにより行われている。
【０００３】
近年では、用紙にとって代わることが可能な文書閲覧のための媒体として、用紙の如く柔軟な薄型で文書画像を書き換え可能且つ無電源状態で表示保持することができる電子ペーパが開発されている。
このような電子ペーパは、用紙と異なって表示部に表示保持した文書画像を消去したり上書きすることが可能であり、繰り返し使用することができるので紙資源の節約等の観点からも利用促進が望まれている。
【０００４】
ここで、情報の印刷が可能で識別コードが記憶された情報表示媒体に印刷されたコンテンツ情報、及び前記識別コードと前記コンテンツ情報との対応関係を記憶する記憶手段と、前記情報表示媒体から識別コードを読み取る読取手段と、前記読取手段により前記情報表示媒体から読み取られた識別コードと前記情報表示媒体に印刷されたコンテンツ情報との対応関係に基づいて、前記記憶手段からコンテンツ情報を検索し利用する検索手段とを備えたシステム構成として、紙に印刷された情報をシステムに簡単に取り込んで加工することを容易にする発明が提案されている（特許文献１参照。）。
【０００５】
また、表示装置を、その筐体表面に情報を表示する表示部と、筐体に対する外部からの刺激を検知する検知部と、各部を制御する制御部とを有した構成として、制御部が検知部からの検知信号に従って表示部に表示している地図の表示範囲をスクロールする等、操作ボタン等を必要とすることなく表示部に表示する情報を更新する発明が提案されている（特許文献２参照。）。
【特許文献１】特開２００４―３０２６１４号公報
【特許文献２】特開２００５―１７４００６号公報
【発明の開示】
【発明が解決しようとする課題】
【０００６】
文書画像を書き換え可能且つ無電源状態で表示保持する画像表示保持媒体は、紙媒体の用紙に印刷された文書を扱うのと同様な作法を実現することができ、例えば、幾つかの文書を表示保持させた画像表示保持媒体を並べて俯瞰的に閲覧し、不要な文書は破棄したり、関連性のある文書は１つのファイルに纏めたり、同種の記述の文書を束ねたりと言った、コンピュータディスプレイによる文書表示ではなし得なかった作業作法を実現することができる。
そして、このような作業作法では、一旦、破棄はファイル化等の候補としておき、全体的な作業方針が決まるまではこれら候補を入れ替えると言った取捨選択的或いは試行錯誤的な作業がなされ、最終的に破棄やファイル化を決定することが行われる。
【０００７】
特許文献１の発明は、表示媒体に印刷した文書画像に対応する文書データをコンピュータ処理することが可能となるが、文書データの処理方法は当該コンピュータに対してユーザが操作入力するものである。
特許文献２の発明は、表示装置に設けた各種センサでユーザの動作を検知し、表示している文書のスクロール、縮小拡大、改ページを実行することができるが、表示装置とともにシステムを構成する処理装置（サーバ等のコンピュータ）側に記憶された文書データに対する処理を行うものではなく、また、システムにおいて文書に対して意図した操作内容を処理装置に入力するものではない。
【０００８】
上記のように種々な発明が提案されているが、文書画像を書き換え可能且つ無電源状態で表示保持する画像表示保持媒体を用いて、用紙に印刷した文書を扱うと同様な取捨選択的或いは試行錯誤的な作業を実現するシステムはなかった。
このようなシステムを実現することにより、ユーザが画像表示保持媒体に対して用紙に印刷した文書を扱うと同様な作法で作業を行うことができ、しかも、画像表示保持媒体は用紙と異なって繰り返し使用することができることから資源の節約を実現することができる。
【０００９】
本発明は、上記従来の事情に鑑みなされたもので、画像表示保持媒体に対するユーザによる取捨選択的或いは試行錯誤的な作法を可能にして、用紙に印刷した文書を扱うと同様な感覚で文書データに係る処理を実行することを目的としている。
【課題を解決するための手段】
【００１０】
本発明は、文書画像を書き換え可能且つ無電源状態で表示保持する画像表示保持媒体に対するユーザの取捨選択的或いは試行錯誤的な操作に応じてデータの処理を行う文書処理操作システム、文書処理操作システムを構成する処理装置、処理装置をコンピュータにより構成するプログラム、文書処理操作システムが実施する文書処理操作方法として実現される。
【００１１】
本発明では、画像表示保持媒体は、文書画像を書き換え可能且つ無電源状態で表示保持する表示部を有するとともに、ユーザからの操作入力を受け付ける操作子と、操作子に操作入力がなされた操作情報を処理装置へ提供する情報提供手段と、を有している。
そして、処理装置は、画像表示保持媒体に表示保持されている文書のデータに対して操作情報に応じて予め設定された処理を行うデータ処理手段と、画像表示保持媒体から取得した操作情報を保持する保持手段と、当該保持された操作情報に応じた処理を前記データ処理手段に開始させる開始指示手段と、を有している。
【００１２】
そして、表示用画像を表示保持した画像表示保持媒体に対してユーザが操作子を操作することで表示用画像に係る処理を指示すると、当該指示を含む操作情報が情報提供手段により処理装置へ提供される。
【００１３】
ここで、操作子と情報提供手段とは別体の装置構成としたり、或いは、操作入力を情報提供手段により直ちに処理装置へ送信するようにしてもよい。このような場合は、例えばパッシブなワイヤレスセンサ（受動的なセンサ、或いは、パッシブセンサ）として知られているデバイスを、操作子に与えられた操作信号を処理装置に送信する手段として採用することが好ましい。
パッシブなワイヤレスセンサは、それ自体に電波を自力で送信するバッテリや複雑な信号発生回路を持たないため、薄型でフレキシブルな紙状の形態を有する画像表示保持媒体（電子ペーパ）と一体化する上で適している。このようなデバイスは、所定の電波信号が外部から供給されると、それをエネルギー源として、電波信号を生成して出力する機能を有する。具体的な構成例としては、電波信号を受信して機械振動を発生させる励振部と、前記励振部が発生した機械振動が伝達されて弾性表面波を発生し、発生した弾性表面波を電気信号に変換して電波信号として出力する送信部とを備えたものなどが知られている（特願２００５―０７５８４２号参照。）。
【００１４】
上記のワイヤレスセンサを図１３を参照して詳しく説明する。
ワイヤレスセンサ５０の構成は、図１３（ａ）にその平面構造を、図１３（ｂ）にその断面構造を示すように、Ｓｉを材料とする基板５１の上面を覆った酸化膜５１ａ上に、弾性表面波（ＳＡＷ：Surface Acoustic Wave）を伝播する誘電体薄膜５２を形成し、この誘電体薄膜５２上に、電気信号と弾性表面波とを変換する一対の櫛型電極（ＩＤＴ：Inter-digital Transducer）５３ａ（５３ｂ）と、櫛型電極５３ａ（５３ｂ）の一方にインピーダンスマッチング部５５ａ（５５ｂ）を介して接続されて外部の装置（送受信装置）と電波信号の送受信を行うアンテナ５４ａ（５４ｂ）と、櫛型電極５３ａ（５３ｂ）の他方に接続したグランド５６ａ（５６ｂ）と、ボタン状の受圧部５８を設けており、グランド５６ａ（５６ｂ）はスルーホール（図示せず）を介して基板５１の裏面側のグランド電極５７と接続している。
【００１５】
受圧部５８は、ワイヤレスセンサ５０から先端を若干突出するように設けてあり、受圧部５８に対応して基板５１の裏面側を異方性エッチングによりテーパ面をなした凹状に形成して、脆弱となった該部分により受圧部５８からの圧力に反応するダイヤフラム５１ｂを構成している。
【００１６】
このワイヤレスセンサ５０に対して送受信装置（後述の実施例では、読取装置４２）から電波信号が送信されるとアンテナ５４ａが受信し、アンテナ５４ａが電気信号に変換して櫛型電極５３ａに与える。そして、櫛型電極５３ａが電気信号に従って機械振動することで誘電体薄膜５２に弾性表面波が発生する。この弾性表面波は、誘電体薄膜５２上を櫛型電極５３ａから櫛型電極５３ｂに向かって移動し、櫛型電極５３ｂで電気信号に変換されてアンテナ５４ｂから応答信号として送信される。
ここで、受圧部５８に外部から圧力を加えられると、誘電体薄膜５２が歪むことによってその表面に発生する弾性表面波の振幅、位相差、周波数等の属性が変化し、この弾性表面波の属性の変化に伴って、櫛型電極５３ｂにより電気信号に変換されてアンテナ５４ｂから送信される応答信号が変化する。
したがって、送受信装置は、ワイヤレスセンサ５０から受信する応答信号の変化を解析することで、ワイヤレスセンサ５０の受圧部５８が押されたことを検出できる。
【００１７】
ワイヤレスセンサ５０における弾性表面波の周波数は、櫛型電極５３ａ（５３ｂ）、インピーダンスマッチング部５５ａ（５５ｂ）の形状により設定することができる。そこで、ワイヤレスセンサ５０を複数設ける場合にはワイヤレスセンサ５０毎に弾性表面波の周波数を異ならせればよく、各ワイヤレスセンサ５０からの応答信号の違いによりどのワイヤレスセンサ５０が押されたかを検出できる。すなわち、いずれのワイヤレスセンサ５０が押されたかという操作情報を送受信装置（読取装置）へ無線で提供することができる。
【００１８】
なお、例えば、受圧部５８に、押下操作を行う毎に、突出した状態（すなわち、上記歪みを生じさせない状態）と押し下げられた状態（上記歪みを生じさせた状態）とを交互に保持する公知のクリック機構を付加すれば、受圧部５８を押した情報（操作情報）をワイヤレスセンサ５０が保持することができ、このように操作銃砲を保持したワイヤレスセンサ５０（すなわち、ワイヤレスセンサを設けた電子ペーパ）を送受信装置（読取装置）の通信圏内に持ち込むことで、上記と同様にして、ワイヤレスセンサ５０が保持している操作情報を送受信装置（読取装置）が応答信号として無線読み取りすることができる。
【００１９】
但し、本発明で記載した操作子に操作入力がなされた操作情報を処理装置へ提供する情報提供手段としては、必ずしも上記のパッシブなワイヤレスセンサに限ったものではなく、操作情報をセンサ自体が一旦保持する機能を有するセンサを採用しても構わない。このようなセンサとしてはＲＦ読取機能とボタン操作情報の保持機能とを有したメモリ素子により操作子と情報提供手段とを一体的に構成し、センサのボタンがユーザ操作されると、この操作されたことの情報を処理装置側により無線読取可能に保持するようにしてもよい。
【００２０】
そして、処理装置では、保持手段が画像表示保持媒体から取得した操作情報を保持して処理開始を保留し、開始指示手段により処理開始のトリガーが入力されると、当該保持された操作情報に応じて予め設定された文書データに係る処理をデータ処理手段が開始する。
したがって、文書画像が表示されている画像表示保持媒体にユーザが操作子を操作して処理指示を入力すると、当該操作情報は処理装置側に提供されて保留され、所定の開始トリガーが入力されたところで当該操作情報に応じて、画像表示保持媒体に表示する文書画像をページ送りして書き換える、表示文書に対応して記憶されている文書データを消去する、表示文書に対してユーザにより回答された結果を統計処理する等といった文書データに係る処理がなされる。すなわち、ユーザは操作後にあってもデータ処理開始までの間に自己の操作を訂正する余裕が得られるため、取捨選択的或いは試行錯誤的な作法で操作を行うことができる。
【００２１】
なお、処理装置は、画像表示保持媒体に文書画像を書き込ませるための書込手段を有しており、書き込み手段は処理装置の一部分として構成してもよいが、書込手段を処理装置の本体とは別体の装置として、書込装置と処理装置本体とを接続した構成とし、書込装置と処理装置本体とにより処理装置を構成するようにしてもよい。また、書込手段は画像表示保持媒体の形式に応じたものであり、例えば、画像表示保持媒体として自己書き込み型の電子ペーパを用いる場合には書込手段は表示用画像のデータを電子ペーパに送信する手段であり、画像表示保持媒体として光書き込み型の電子ペーパを用いる場合には書込手段は表示用画像を電子ペーパに投影する手段である。また、処理装置は画像表示保持媒体から提供される操作情報を取得する手段（読取手段）を有しており、当該手段についても書込手段と同様である。
【００２２】
本発明では、より具体的には、開始指示手段は、例えば、オペレータが入力操作を行う、操作情報の取得後に設定時間を経過するとデータ処理手段に処理を開始させるトリガーを入力する等といった方法で、処理装置側で発生されるトリガーでデータ処理手段に処理を開始させる。
また、本発明では、より具体的には、開始指示手段は、例えば、画像表示保持媒体からユーザ操作に応じてトリガーを送信する、読取装置をユーザ操作してトリガーを入力する等といった方法で、処理装置の外部から入力されるトリガーでデータ処理手段に処理を開始させる。
【００２３】
また、本発明では、より具体的には、例えば、処理装置は、操作情報に応じて画像表示保持媒体の表示部に表示するための画像処理方法（ページ捲り等）が予め設定された対応テーブルを有し、データ処理手段は、当該対応テーブルを参照して読み取った操作情報に応じて表示部に表示する文書画像の生成処理を行う。
また、本発明では、より具体的には、例えば、処理装置は、操作情報に応じて画像表示保持媒体の表示部に表示している文書に対応するデータへの画像処理方法（文書データの消去等）が予め設定された対応テーブルを有し、データ処理手段は、当該対応テーブルを参照して読み取った操作情報に応じて対応する文書データに対する処理を行う。
また、本発明では、より具体的には、例えば、処理装置は、操作情報に応じてユーザからの回答内容が予め設定された対応テーブルを有し、データ処理手段は、当該対応テーブルを参照して読み取った操作情報に応じて表示部に表示された文書に対するユーザの回答内容を統計処理する。
【００２４】
また、本発明では、より具体的には、例えば、画像表示保持媒体は、ユーザによる操作を検知する機能と検知状態を無線読み取り可能に送信する機能とを有する受動的なセンサ（所謂パッシブなワイヤレスセンサ）を複数有し、当該センサによりユーザからの操作入力を受け付ける複数の操作子と、いずれの操作子に操作入力がなされたかの操作情報を無線読み取り可能に送信する情報提供手段とを構成する。
また、本発明では、より具体的には、例えば、画像表示保持媒体は、書込手段から入力された表示用画像データに基づいて表示部に画像を書き込む機能を有した自己書き込み型の電子ペーパを用いる。
また、本発明では、より具体的には、例えば、画像表示保持媒体は、書込手段から投影された表示用画像を表示部に転写する機能を有した光書き込み型の電子ペーパを用いる。
【発明の効果】
【００２５】
本発明によると、画像表示保持媒体に文書画像を表示保持させ、画像表示保持媒体に設けた操作子へのユーザ操作情報を処理装置へ入力して一旦保留状態とし、その後に入力される開始指示に応じて当該文書に係るデータ処理を開始するようにしたため、画像表示保持媒体を用いた取捨選択的又は試行錯誤的な操作作法により文書に係るデータ処理を行うことができ、画像表示保持媒体が有する紙媒体と同様な文書閲覧の利便性と、データ処理による利便性とを連携させることができる。
【発明を実施するための最良の形態】
【００２６】
本発明を実施例に基づいて具体的に説明する。
図１には、本例に係る文書処理操作システムの構成を示してある。
なお、本例では電子ペーパを画像表示保持媒体として用いているが、文書画像を書き換え可能且つ無電源状態で表示保持する機能と、ユーザからの操作入力を受け付ける複数の操作子と、いずれの操作子に操作入力がなされたかの操作情報を処理装置側へ提供する情報提供を有する他の装置を用いることもできる。
【００２７】
まず、電子ペーパＥＰの基本的な構成及び機能について、図６〜図１０に示す例を参照して具体的に説明する。
図６には光書き込み型電子ペーパＥＰを示してあり、図示の電子ペーパＥＰは表示用画像を表示保持する表示部２と、表示部２に対する書き込み電圧を印加するための電極３とを有している。
光書き込み型電子ペーパＥＰは、例えばＡ４版の用紙のような大きさのフレキシブルな薄型であり、大部分の面積を占める表示部２に文書画像と選択肢画像とを含む表示用画像を無電源状態で表示保持する。
【００２８】
光書き込み型電子ペーパＥＰは、例えば、同図に示すように液晶パネル４に情報を画像として表示し、電極３に外部の電源から電圧を印加しながら光書き込み型電子ペーパＥＰを液晶パネル４に重ねて光を照射することにより、液晶パネル４に表示させた情報画像を表示部２に転写して記憶させることができる。要は、光書き込み型電子ペーパＥＰは電極３に電圧を印加することで投影された画像情報を表示部２に転写し、電極３３に印加した電圧を除去した後も当該画像情報を表示状態で保持し続ける機能を有している。
なお、光書き込み型電子ペーパＥＰを用いる場合は、後述する書込装置４１は、自装置にセットされた電子ペーパＥＰの電極３に書き込み電圧を印加し且つ表示用画像を表示部２に投影する機能を有する。
【００２９】
光書き込み型電子ペーパＥＰは、表示部２の断面構造を表す図１１に示すように、複写機に利用されている有機光導電性材料の層（有機光導電層）１０と液晶表示材料の層（マイクロカプセル化したコレステリック液晶層）１１とを組み合わせ、これら層を表裏一対の透明電極１２で挟み、この積層体を表裏一対の透明な基材フィルム１３で挟んだ構造となっている。なお、この構成では、コレステリック液晶層１１が光を反射する白表示と、光が液晶層１１を透過しコレステリック液晶層１１と有機光導電層１０との間に設けられた黒色層１４で吸収される黒表示のモノクロ画像表示が可能である。さらにコレステリック液晶には螺旋ピッチに応じたカラー光を干渉反射するという特性があるので、コレステリック液晶層１１を螺旋ピッチの異なる液晶を積層した構成にすることにより、簡単な構造でカラー表示を実現することも可能である。
【００３０】
そして、光書き込み型電子ペーパＥＰは、表示部２の動作原理を表す図１０に示すように、例えば画像書込み用の調光素子パネル（発光パネル）４に転写する画像を表示して表示部２に投影し、電極３に電圧を印加すると、光の強弱を瞬時に反射濃度に変換して当該投影画像を保持する。そして、電極３に消去電圧を印加することにより表示部２に保持された画像情報を消去することができ、光書き込み型電子ペーパＥＰは書き込みと消去を繰り返して幾度も再使用することができる。なお、光書き込み型電子ペーパＥＰはこのような消去処理を行わずに、上記のように電極３に電圧を印加して新たな画像を投影することにより、表示部２に保持されている画像情報を上書きすることもでき、このような上書き処理によっても幾度も再使用することができる。
したがって、光書き込み型電子ペーパＥＰは、紙のように薄く柔軟である性質に加えて、画像の投影により転写された画像情報を無電源保持する性質があるので、あたかもプリンタや複写機に使用する紙の如く用いることができ、しかも、繰り返し再使用することができる画像表示保持媒体である。
【００３１】
自己書き込み型電子ペーパＥＰは、光書き込み型電子ペーパＥＰと同様に例えばＡ４版の用紙のような大きさのフレキシブルな薄型画像表示保持媒体装置であり、大部分の面積を占める表示部２に加えて、表示部２にデータに応じて自ら画像を書き込む処理機能が設けられている。
処理機能には、表示部２を駆動するドライバ、後述する書込装置と無線通信するための無線部、電子データを読み書き自在に保持するメモリ、所定の処理を行う制御部（ＣＰＵ）、制御部等の機能手段に動作電力を供給するバッテリが設けられている。
なお、表示部２と処理機能部とを着脱可能として、例えばクリップ形式の処理機能部を表示部２に装着して接続することにより電子ペーパＥＰを構成するようにしてもよい。
【００３２】
このような自己書き込み型電子ペーパＥＰは、外部の書込装置と無線部で無線通信することにより表示用画像の電子データを受信し、複数ページの電子データをメモリに保持することができる。
そして、自己書き込み型電子ペーパＥＰは、制御部の制御の下にドライバを駆動して、メモリに保持した電子データに基づいて表示部２に表示用画像を書き換え表示することができ、ドライバの駆動電力を除去しても表示部２に画像を表示状態で保持し続ける機能を有している。
なお、自己書き込み型電子ペーパＥＰを用いる場合は、後述する書込装置４１は、通信圏内にある電子ペーパＥＰへ表示用画像データを送信する機能を有する。
【００３３】
自己書き込み型電子ペーパＥＰは、表示部２の断面構造を表す図１０に示すように、複写機にトナーとして利用されている微細な着色粒子（図示の例では、白色粒子２１と黒色粒子２２）を少なくとも表面側が透明な表裏一対の電極２３間に封入し、これを少なくとも表面側が透明な表裏一対のフィルム基板２４で挟んだ構造となっている。着色粒子２１、２２が自由に移動できるように電極層２３間は空気層となっており、また、マトリックス状の電極層２３には着色粒子２１、２２との接触を防止する絶縁層２５が設けられている。なお、カラーフィルターを用いることにより、簡単な構造でカラー表示を実現することも可能である。
【００３４】
そして、自己書き込み型電子ペーパＥＰは、表示部２の動作原理を表す図９に示すように、電極２３に電圧を印加していない状態（但し、電極２３は前回の駆動時の極性に帯電している）では、負（マイナス）に帯電した白色粒子２１は裏面側に溜まる一方、正（プラス）に帯電した黒色粒子２２は表面側に溜まり、表示部２を表面側から目視すると表示部２は黒色な状態となる。そして、電子データに基づいてドライバが動作して表示する情報画像に応じたマトリックスの所要部の電極極性を反転させると、白色粒子２１と黒色粒子２２との位置関係が入れ替わって、表示部２に白色粒子２１と黒色粒子２２とのコントラストによる画像情報が表示される。なお、異なる電子データに基づいてドライバを動作させることにより、白色粒子２１と黒色粒子２２とのコントラストにより表示部２に表示される画像情報を切り換えることができ、幾度も再使用することができる。
したがって、自己書き込み型電子ペーパＥＰは、紙のように薄く柔軟である性質に加えて、表示部２に表示した画像情報を無電源保持する性質があるので、あたかも紙の如く用いることができる画像表示保持媒体である。
【００３５】
上記のような電子ペーパＥＰを画像表示保持媒体として用いた文書処理操作システムは、図１に示すように、電子ペーパＥＰと、処理装置３０とを備えており、処理装置３０は別体の装置として構成した書込装置４１と読取装置４２とを接続して有している。
書込装置４１は、上記のように電子ペーパＥＰの形式（光書き込み型又は自己書き込み型）に応じた機能を有しており、処理装置３０で生成した表示用画像を表示部２に表示保持させるために電子ペーパＥＰに書込む。
本例では、後述するようにユーザ操作を受け付けるためにＩＤタグ等のＲＦＩＤに類するパッシブセンサ５を操作子及び情報提供手段として電子ペーパＥＰに設けてあり、読取装置４２は、ＲＦＩＤに対するように、或る範囲内に動作電力を電波供給して、当該範囲内に存するパッシブセンサ５を起動し、当該パッシブセンサが保持して送信する状態（操作情報）を無線読取する機能を有している。すなわち、読取装置４２はＩＤタグ等のリーダ装置の機能を有している。
【００３６】
処理装置３０は、画像生成処理や文書データ処理を行う文書処理部３１、文書データを文書ＩＤに対応付けて保持管理する文書データベース３２、選択肢情報を管理する分類・指示テーブル３３、分類・指示テーブル３３を参照して操作情報からいずれの選択肢が選択されたかを判定する判定部３４、判定された操作情報（選択肢）に基づく統計処理を行う統計処理部３５、統計処理の結果を画面表示等で出力する出力部３６、文書画像に付加する選択肢情報の設定等の種々な設定をオペレータから受け付ける設定部３７を有している。
更に、処理装置３０は、電子ペーパＥＰから入力される操作情報を保持して判定部３４への出力を保留する指示保持部３８、オペレータ（或いはユーザ）操作に応じて指示保持部３８に保持された操作情報を判定部３４へ出力させる開始操作部３９を有しており、オペレータが開始指示を操作入力することにより、後述するように、判定部３４は操作情報を判定して、判定結果に応じたデータ処理を文書処理部３１や統計処理部３５に開始させる。
【００３７】
なお、本例では、処理装置３０（本例では、書込装置４１及び読取装置４２を含む）のコンピュータに本発明に係るプログラムを実行させることで、パッシブセンサ５に対応する位置に配置した選択肢情報と文書画像とを合成した表示用画像を生成する文書処理部（画像生成手段）３１、当該生成した表示用画像を表示部２に表示保持させるために画像表示保持媒体に書込む書込装置（書込手段）４１、パッシブセンサ５に保持された操作情報を無線読み取りする読取装置（読取手段）４２、読み取った操作情報に応じて予め設定された文書データに係る処理を行う文書処理部３１並びに判定部３４及び統計処理部３５（データ処理手段）、指示保持部３８、開始操作部３９が構成されている。
【００３８】
文書処理部３１は、設定された選択肢情を分類・指示テーブル３３から取得し、設定された文書データを文書データベース３２から取得して、電子ペーパＥＰに設けられたパッシブセンサ５に対応する位置に配置した選択肢情報と文書画像とを合成した表示用画像を生成す処理を行う他、判定部３４の判定結果に応じて文書ページを捲った表示用画像の生成や表示部２の画像を消去するための白紙画像の生成を行う。更に、文書処理部３１は、判定部３４の判定結果に応じて表示部２に表示されている文書のデータを文書データベース３２から削除する、文書のデータを電子メールやファクシミリで所定の宛先に送信する等の文書データ処理を行う。
また、統計処理部３５は、判定部３４の判定結果に応じて選択肢回答の集計等の統計処理を行い、すなわち、文書処理部３１と統計処理部３５は、電子ペーパＥＰから読み取った操作情報に応じて、分類・指示テーブル３３に予め設定された文書データに係る処理を行うデータ処理手段を構成している。
【００３９】
図２には分類・指示テーブル３３を例示してあり、本例では、（ａ）〜（ｄ）にそれぞれ示すようにＴ１〜Ｔ４の４種類のテーブルが用意されている。
各テーブルは、操作情報を示すＩＤ（選択肢の番号）にその操作内容（理解度、お勧め度、文書指示）を対応付けており、例えば、テーブルＴ１では操作情報ＩＤ１に理解度「できなかった」が対応付けられ、テーブルＴ２では操作情報ＩＤ３にお勧め度「どちらでもない」が対応付けられ、テーブルＴ３では操作情報ＩＤ５に文書指示として文書データを「別名で保存する」が対応付けられ、テーブルＴ４では操作情報ＩＤ２に文書指示として表示部２の文書画像をページ捲り更新する「次ページ」が対応付けられている。
【００４０】
図３には電子ペーパＥＰを正面視した構成を示してあり、本例では、表示部２の下部に５個のパッシブセンサ５が配列して設けられている。
表示部２には、アンケート等の文書画像を表示する文書表示領域２ａの下部に、図２に示した理解度、お勧め度、文書指示に係る選択肢情報を表示する選択肢表示領域２ｂが設けられている。
パッシブセンサ５は、ボタン状の操作子と、操作によって極性を反転することで操作情報を保持するＲＦメモリとを一体化した素子であり、極性が反転した（すなわち、ユーザがボタンを押下操作した）ＲＦメモリのみが読取装置４２が発振する電波により電力が供給されて起動し、その操作情報が読取装置４２により読み取られる。なお、各パッシブセンサ５にはセンサ識別ＩＤが予め記憶されており、センサ識別ＩＤも操作情報とともに読取装置４２により読み取られて、いずれのセンサ５（センサ配置に応じてどの選択肢を設定したセンサ）の極性状態が変化しているかを判定することができる。
【００４１】
なお、本発明は、本例のような構成に限定されるものではなく、表示部に表示保持された文書画像を閲覧するユーザが、電子ペーパＥＰに設けられた操作ボタンを操作すると、電子ペーパＥＰに設けられた無線手段が当該操作情報を直ちに処理装置３０へ送信して、指示保持部３８に保持させる構成でもよい。
【００４２】
図４には文書画像と選択肢情報とを合成した表示用画像を電子ペーパの表示部２に表示保持させた具体例を示してある。
同図（ａ）は製品に関するアンケート調査用にユーザに配布する電子ペーパＥＰの例であり、アンケート文書と、当該製品に関するお勧め度の選択肢情報（１〜５の程度）を表示部２に表示し、５段階のお勧め度の選択肢（１〜５）はそれぞれ５個のパッシブセンサ５の位置に対応して表示されている。
同図（ｂ）は技術説明に関するアンケート調査用にユーザに配布する電子ペーパＥＰの例であり、技術説明文書と、当該説明に関する理解度の選択肢情報（できなかった、どちらでもない、よくできた）を表示部２に表示し、３段階の理解度の選択肢は５個のパッシブセンサ５の内の１つ置きに配された３つの位置に対応して表示されている。
なお、文書データのメール送信や文書画像のページ捲り当を指示操作する文書指示の選択肢情報についても同様であり、文書画像とともに、文書指示の内容情報又は対応するＩＤ番号が５個のパッシブセンサ５の位置に対応して表示されている。
【００４３】
次に、本例の文書処理操作システムによる処理動作を説明する。
設定部３７によりオペレータが、電子ペーパＥＰに書き込む文書及び分類・指示の選択肢情報（Ｔ１〜Ｔ４のいずれか１つ）を選択して設定し、電子ペーパＥＰへの書き込み指示を入力すると、文書処理部３１が、選択設定された文書データを文書データベース３２から読み出すとともに、選択設定されたテーブルの選択肢情報（又は選択肢ＩＤ）を読み出し、これら文書データと選択肢情報とに基づいて、選択肢情報をパッシブセンサ５に対応する位置に配置して文書画像と合成した表示用画像を生成する。そして、文書処理部３１が、生成した表示用画像を書込装置４１に入力し、書込装置４１が電子ペーパＥＰの表示部２に電子ペーパの型式に応じて表示用画像の書き込み処理を行う。
【００４４】
ここで、上記の書き込み処理において、電子ペーパＥＰに書き込んだ文書を識別する文書ＩＤ及びテーブルＩＤ（Ｔ１〜Ｔ４のいずれか）が判定部３４に入力され、後の判定処理に利用される。
また、１種類の文書だけを配布してユーザからの選択操作情報を回収する場合には必要がないが、複数種類の文書を配布してユーザからの選択操作情報を回収する場合には回収した文書を識別するため、電子ペーパＥＰに例えば書き込み自在なＲＦＩＤを設けておき、当該ＲＦＩＤに書き込んだ文書の文書ＩＤを書き込み、後に読取装置４２により文書ＩＤも読み取って判定部３４に入力するようにすればよい。
なお、本例では、各電子ペーパを識別する表示媒体ＩＤを保持したＲＦＩＤを電子ペーパＥＰに設けてあり、電子ペーパＥＰに表示用画像を書き込む際に読取装置３５で当該ＲＦＩＤからその表示媒体ＩＤを無線読取して判定部３４に入力することで、電子ペーパＥＰの表示媒体ＩＤと、当該電子ペーパに書き込んだ文書の文書ＩＤと、選択肢情報のテーブルＩＤとの対応を判定部３４が把握できるようにしている。
【００４５】
そして、ユーザが配布された電子ペーパＥＰの表示部２に表示された文書画像を閲覧し、そこに表示されている選択肢のいずれかを対応するパッシブセンサ５を押下操作することで選択する。すなわち、ユーザは表示された文書に対して回答したい選択肢や実行したい処理の指示をパッシブセンサ５を押下操作することで選択する。
このようにユーザにより選択操作された電子ペーパＥＰを読取装置４２の近傍に位置させると、読取装置４２がそのセンサ５の極性状態変化（操作情報）及びセンサ識別ＩＤを表示媒体ＩＤとともに無線読取して検知して指示保持部３８に入力する。
【００４６】
そして、開始操作部３９から処理開始指示を入力すると、開始トリガーが指示保持部３８に入力され、判定部３４が指示保持部３８に保持されている操作情報に基づいて判定処理を開始する。
判定部３４は、表示媒体ＩＤに基づいて文書ＩＤ及びテーブルＩＤを判定し、また、センサ識別ＩＤ及びその操作情報に基づいていずれの選択肢がユーザにより選択されたかを判定し、その判定結果に応じて、ユーザが選択操作した操作情報に応じて文書処理部３１に処理を指示し又は統計処理部３５に統計処理を指示する。
このような判定処理の結果により、判定部３４には、図５に示すような操作情報（分類テーブルに応じた分類ＩＤ或いは指示テーブルに応じた指示ＩＤ）の管理情報が読み取り日時情報に対応付けて保持される。例えば、文書ＩＤ（Ｄ１）の文書は表示媒体ＩＤ（Ｍ１、Ｍ２）の２つの電子ペーパＥＰに分類テーブルＴ１の選択肢情報とともに書き込まれ、電子ペーパＥＰ（Ｍ１）からは分類ＩＤ（１）「できなかった」の選択肢操作情報が得られ、電子ペーパＥＰ（Ｍ２）からは分類ＩＤ（５）「よくでき」の選択肢操作情報が得られ、これら電子ペーパを閲覧した各ユーザからの文書理解度に係る回答が得られている。
【００４７】
なお、オペレータが、例えば、文書ＩＤをキーとして分類ＩＤを集計したり、表示媒体ＩＤをキーとして分類ＩＤを集計するといった操作指示を統計処理部３５に入力することで、統計処理部３５が判定結果に基づいて統計処理を行い、その結果を出力部３６で表示する。このような文書配布に基づく回収回答の統計処理は、企業向け社内広報配信システム、自治体向け広報配信システム、企業向け消費者販売促進システム、小売店舗向け個別商品案内システム等として利用することができる。
【００４８】
図１１には、本発明の他の一例に係る処理装置３０側の構成を示してある。
本例では、開始操作部３９として設定部３７から所定時間が設定されるタイマを備えており、処理装置３０の内部で発生されるトリガーにより、判定部３４に指示保持部３８に保持されている操作情報に基づいて判定処理を開始させ、文書処理部３１や統計処理部３５にデータ処理を開始させる。
【００４９】
図１２には、本発明の更に他の一例に係る処理装置３０側の構成を示してある。
本例では、開始操作部３９を読取装置４２（或いは、書込装置４１）に設けてあり、ユーザが読取装置４２に接近して操作情報の読み取り処理を行う際（或いは、ユーザが書込装置４１に接近して文書画像の書込み処理を行う際）に、開始操作部３９から開始トリガーを入力操作し、判定部３４に指示保持部３８に保持されている操作情報に基づいて判定処理を開始させ、文書処理部３１や統計処理部３５にデータ処理を開始させる。
【図面の簡単な説明】
【００５０】
【図１】本発明の一実施例に係る文書処理操作システムの構成説明図である。
【図２】本発明の一実施例に係る分類・指示テーブルの説明図である。
【図３】本発明の一実施例に係る電子ペーパを示す図である。
【図４】本発明の一実施例に係る表示用画像の具体例を示す図である。
【図５】本発明の一実施例に係る判定結果を示す図である。
【図６】光書き込み型電子ペーパの使用方法を説明する図である。
【図７】光書き込み型電子ペーパの動作原理を説明する図である。
【図８】光書き込み型電子ペーパの構造を説明する図である。
【図９】自己書き換え換え型電子ペーパの動作原理を説明する図である。
【図１０】自己書き込み型電子ペーパの構造を説明する図である。
【図１１】本発明の他の一例に係る処理装置側の構成を示す図である。
【図１２】本発明の更に他の一例に係る処理装置側の構成を示す図である。
【図１３】パッシブセンサの一例に係る構成を示す図である。
【符号の説明】
【００５１】
２：表示部、  ５：パッシブセンサ、
３０：処理装置、  ３１：文書処理部、
３３：分類・指示テーブル、  ３４：判定部、
３５：統計処理部、３８：指示保持部、
３９：開始操作部、  ＥＰ：電子ペーパ、
【図１】
2007200096.tif 000003
【図２】
2007200096.tif 000004
【図３】
2007200096.tif 000005
【図４】
2007200096.tif 000006
【図５】
2007200096.tif 000007
【図６】
2007200096.tif 000008
【図７】
2007200096.tif 000009
【図８】
2007200096.tif 000010
【図９】
2007200096.tif 000011
【図１０】
2007200096.tif 000012
【図１１】
2007200096.tif 000013
【図１２】
2007200096.tif 000014
【図１３】
2007200096.tif 000015